(57)【要約】      （修正有）【課題】いかなる職業に携わっている人でも、他人に気づかれることなく安心して着用ができ、且つ常時頭部の血液の流れを潤滑する赤外線発生装置を装着した帽子を提供する。【解決手段】上記目的を達成するためには、帽子の内側をＬＥＤで赤外線電気照射する赤外線発帯１を有する構造の帽子にすればどのような仕事に従事している人でも、社内基準の帽子を着用していても人に気づかれることなく頭部の血液を潤滑する赤外線治療をしながら楽しく作業することが出来、且つ仕事が終わり帰宅したならば、家用の上記構造の帽子にする。【選択図】図１
2016094689.tif 000002
【特許請求の範囲】
【請求項１】
人は加齢すると共に頭部の血液の循環が悪くなり脳血管障害になりやすい。そこで脳血管障害を予防するという見地から、帽子の内側を赤外線で電気照射することにより波長が長く浸透力のある赤外線が頭部を照射し、波長が浸透して血液に刺激を与え続けるので血液の流れは潤滑となる。従って脳血管障害は防ぐことができるという構造原理である。即ち病院等で行っている赤外線治療をしているのを、帽子の内側をＬＥＤ照明で赤外線照射装置にすることにより頭部の血流の流れを潤滑にして脅威の脳血管障害生涯の発生を未然に防ぐという構造である。使用する照射装置は熱が発生しないので寿命が長く、且つ消費電力が極めて少ないＬＥＤ照明を用いる。赤外線の照射は電気で稼働させるので治療時間は２４時間でもフルに照射することができる。  従って頭部の血液の流れを常時潤滑であり、死亡ランキング率、第３位の脳血管障害を大幅に抑制することを最大の特徴とした構造原理の「帽子の内側赤外線電気照射装置」を、ここに提供するものである。
【発明の詳細な説明】
【技術分野】
【０００１】人は、加齢するとともに頭部の血液の循環が悪くなり脳血管障害になりやすい、その証拠に死亡ランキングが第３位に脳血管障害がランクされている。このような現状を改善するべきと本出願人は鋭意研究を重ねた、即ち頭部の血液の流れを潤滑する状態を保っておけば脳血管障害の発生は封じ込めること出来るのである。そこで今、私達が着用している帽子の内側を電気で赤外線が照射する照射装置の構造にすれば、頭部は２４時間フルに赤外線治療を行っているので、頭部の血液は常時潤滑であるから脳血管障害という病は確実に抑制されることになる。電気で赤外線を照射する装置はＬＥＤを用いればＬＥＤは熱を発生しないので寿命も長く消費電力も少ないので維持費もすくないので極めて都合が良い。即ち、病院等で頭部に赤い光を照射して血液の流れを潤滑する赤外線治療を行っていることと全く同じ治療を、帽子であれば仕事をして移動しながらでも誰にも気づかれることなく長時間、頭部に波長の長い赤外線を浸透させて治療をするという構造原理である。ＬＥＤに供給する電源は，１００Ｖ電源，または１００Ｖ変革電源、充電式乾電池電源、ソーラー電源、乾電池、等々いずれでもＬＥＤが帽子の内側を赤外線が点灯する電源であれば良い。脳血管障害を予防するため血液の流れをよくするためには、薬を服用するのであるが普通であるが、服用薬は副作用は避けられません。本願発明は、帽子の内側よりＬＥＤの赤い赤外線を照射する構造原理を電気照射すれば２４時間でもフルに頭部を照射し続けるので副作用の心配などは全くありません。以上のようなことを特徴とした「帽子の内側赤外線照射装置」を提供するものである。
【背景技術】
【０００２】「特許文献１」および「特許文献２」は外部と内部が全て赤い色のした帽子であり、太陽光や介する透過光による赤い可視光線とそこに付属している近赤外線の波長に頭部の血流を潤滑にするが、引用例の「１」及び「２」である。赤い色の帽子は熱を吸収しやすいので外の温度が２８度位になると帽子内部の温度は反比例するように急上昇する。従って暑い日の「引用例１及び２」の帽子をかぶって外で作業していると、帽子の中の温度は急激に上昇するので熱中症につながり極めて危険である。加えて太陽が没すれば赤外線は何の効果もない。１日は２４時間周期であり太陽が没して、良く日の太陽が上昇するまでの１２時間以上は頭部の血液の循環は通常の鈍化したままである。また引用例は赤い帽子であり、どのような職業にでも対応できるということは外観上からもできないのが「引用例１」及び「引用例２」である。
【先行技術文献】
【０００３】
【特許文献１】  特開２００８−１４４３３
【特許文献２】  特開２０１２−９７３６５
【発明の概要】
【発明が解決しようとする課題】
【０００４】頭部の血流の流れを潤滑して頭毛の脱毛を防ぎ、脳血管障害を予防する帽子は、上記、引用例１及び引用例２がある。引用例はいずれも帽子の表と裏は、すべてが赤い色でできており、そこを太陽光線が透り抜けて赤外線を透過して頭部の血液の流れを潤滑にして、頭部の脱毛を防ぎ、脳血管障害の予防をするのが上記の、引用例１並びに引用例２の構造原理である。この引用例１、及び２の最大の欠点は太陽が没して暗くなれば赤外線の効果は全く生じない、すなわち１日は２４時間周期で回転しているから太陽が没してしまい翌日の太陽が昇る迄の１２時間（冬であれば１６時間以上）は全く赤外線の波長の浸透効果などはありません、帽子の表面と裏面が赤く太陽光線の赤外線がよく透過出来る構造原理である。従って太陽光線が没すれば赤外線の効果等は全くありません。また引用例の帽子は赤い色が透過するということは熱の吸収率が極めて高いので外の気温が２８度位に上昇すると帽子の内部温度は反比例するように急上昇してしまい熱中症になるので外で着用しての作業は危険です。また赤い色の帽子のために、どのような職業人でも引用例の帽子を着用することはできない。加えて１日は２４時間周期で回転しているので、太陽が沈み翌日の太陽が昇るまでの１２時間以上は頭部の血液の流れはもとに戻り鈍化します。従って頭部の血液の流れの不安定は避けられません。また職業上仕事をしている時、例えば飲食関や病院関係などの人は職業上の観点からも、赤い色ガ透過する帽子を被って作業をすることはできません。上記のような諸問題からも  脅威の脳血管障害の心配な人は、人に気づかれることがなく全く安全で副作用のないのが赤外線治療であるから、長時間赤外線治療のできる赤外線治療装置の開発が強く望まれています。
【問題を解決するための手段】
【０００５】引用例１、及び２赤外線を透過する帽子は太陽光線を活用する構造である。このため太陽が没すれば赤外線の効果は全く無い、脳血管障害とは、頭部の血液の流れが潤滑でないと血管が詰るのが脳血栓であり、破烈するのが脳溢血である、突然死又は寝たきりの植物人間になったり、助かっても言語障害、または手足の麻痺による歩行障害などが脳血管障害の後遺症害で本人はじめ、家族全体に多大に負担を生じるのが脳血管障害である。このために頭部の血液の流れを２４時間フルに潤滑にしておくこと最大の防御である。そこで本願発明の「帽子の内側赤外線電気照射装置」を着用すれば、本願の構造原理は、帽子の内側をＬＥＤで赤外線を照射する帽子であり、赤い光の波長の長い赤外線は頭部の内部に浸透して血液を常時刺激し続けます。従って頭部の血液は２４時間フルに血液を刺激続けるので潤滑であるから、脅威の脳血管障害を防ぎ、頭部の血液の流れが潤滑であれば頭の回転も賢くなる。赤色の発光帯を照射する電源は、乾電池、ソーラー電源、１００Ｖ電源、又は１００Ｖを変革した電源、（バッテリ−に蓄電される充電式の電池）、等々ＬＥＤの赤外線を照射する電源であれば良い。電源部は衣服等の作業に支障がなく目立たない位置に設置する。赤外線を照射するＬＥＤの照射装置は発熱しないので寿命も長く、消費電力も普通の電気と比較して１０分１と極めて少なく、省エネであるから維持費が極めて少ない。また本願発明の構造原理の「帽子の内側赤外線電気照射装置」は帽子の内側を赤外線照射する構造であり帽子の着用を必要とする職業、例えばヘルメットなどは内部に暑さ対策の断熱材が設けられている、その下に赤外線の電気照明装置を設置すればよい。以上のように職業にかかわりなく本願構造の帽子は職業にマッチした帽子を着用していても、人に気づかれることなく電気を活用して赤外線治療を行うことができることを最大の特徴とした構造原理の「帽子の内側赤外線電気照射装置」をここに提供するものである。
【０００６】上記、解決手段により、社内規程により帽子を着用しなければならない職場でも、人に気づかれることなく安心して脳血管障害治療ができ、且つ脱毛を防ぎ、毛根が健在であれば発毛を促すことを特徴とし、且つ職場を離れ帰宅したならば、上記構造の家用の「帽子の内側を赤外線が照射する帽子」を着用すれば、２４時間フルに頭部を赤外線治療をし続けるので健康増進の観点からも、死亡ランキング第３位の脳血管障害の発生を著しく抑制することを最大の特徴とした「帽子の内側赤外線電気照射装置」をここに提供する。
【発明の効果】
【０００７】前述のように、本願発明は、発明の名称に記載されている通リの「帽子の内側赤外線電気照射装置」である。従って帽子の内側よりＬＥＤで赤い色の赤外線を電気照射し続けるので波長の長い赤外線が頭部に深く浸透して頭部の血液を常時刺激し続けられるので頭部の血液の流れは２４時間フルに潤滑できることになる。従って死亡ランキング第３位の脳血管障害の発生は著しく抑制されるということを、最大の特徴としたのが本願発明の構造原理である。
【図面の簡単な説明】
【０００８】
【図１】は本願発明の構造原理を示す斜視図
【図２】は本願発明の職場基準の帽子を冠り、その内側に本願発明の「帽子の内側赤外線電気照射装置」を着用していることを示す正面図。
【図３】は脳血管障害の予防のため就寝中に本願発明の「帽子の内側赤外線照射装置」を着用して就寝していることを示す側面図。
【符号の説明】
【０００９】  （１）帽子の内側の赤外線発光帯、（２）帽子の内側赤外線照射装置、（３）あご紐、（４）枕、（５）掛け布団、（６）敷布団、（７）ベッド、（８）キャスター、
【図１】
2016094689.tif 000003
【図２】
2016094689.tif 000004
【図３】
2016094689.tif 000005